(57)【要約】【課題】身体に共鳴する特定周波数の波動を発生する波動発生器によって、身体を癒したり治療するためのものである。【解決手段】金の薄板、プラチナの薄板、銀の薄板のそれぞれを絶縁体を挟んで貼り合わせて板体とし、板体に振動モーターを取り付けて発振子とする。この発振子に発振器からの特定周波数の波動が発生するようにした波動発生器である。  この波動発生器を手に取付けて、手から発生する気のエネルギーを波動発生器から発生する波動が拾って放射するようにした。そして、この波動を他の物体に照射して、その物体に波動を転写して、その物体から出る波動を身体に照射することによって精神的な安定を与えたり、血流の促進や患部の回復を早めたりする為のものである。  【選択図】  図２
2006000528.tif 000002
【特許請求の範囲】
【請求項１】
金（４）、プラチナ（５）、銀（６）の薄板のそれぞれに絶縁体（７）を挟んで重ね合わした板体に振動モーター（８）を取り付けて発振子（１）とし、該発振子（１）に発振器（２）からの特定周波数の電圧を掛けて、該発振子（１）で身体が共鳴する波動を発生し放射させて、該波動を身体や物体に照射するための波動発生器（３）。
【請求項２】
波動発生器（３）に手に取り付けるための装着具（９）を設けて、波動発生器（３）から放射する波動が手の気のエネルギーを拾って放射するようにした請求項１記載の波動発生器（３）。
【発明の詳細な説明】
【技術分野】
【０００１】
本発明は気のエネルギー（波動エネルギー）を利用して動物、特に人間に活力を与えたり、血流を良くすることにより患部の治療に供する器具に関する。
【背景技術】
【０００２】
従来、健康、医療器具として針、灸、磁石などによってツボを刺激し自律神経を働かせて治療するツボ治療器や遠赤外線などを利用して患部を温めて血行を良くすることにより治療をする医療器具は市販され多くの人に使用されている。しかし、針、灸、磁石による治療に限らず、東洋医学の気功やヨガなどで用いられている気のエネルギーによる治療手段も現在では活用されている。
【０００３】
生命体には生命活動を維持するための気のエネルギーが存在していて、気のエネルギーを身体に照射すると、身体とって直ちに良い効果がでることが脳波測定器、超音波血流測定器、脳内血流測定器などにより測定されることから、実証されている。例えば、気のエネルギーを照射する前後の脳波の検査をすると、リラックス状態を示すアルファーは照射前よりも後が大きく増加する。
【０００４】
気のエネルギーが強い時は気力が湧き気分が良く、精神的にも安定していて、身体の機能も良いことから、身体がリラックス状態となり、また、脳波の安定、血流の増進、筋肉の疲労回復、痛みの除去、細胞の活性化が生じる。
【０００５】
ところが、気のエネルギーが弱い時は俗に言う気力が無く、気分が悪く、体がだるく、体の疲れや、痛みを感じたり、活力が無いことから身体がストレス状態となり、脳波が不安定となる。
【０００６】
この気のエネルギーをコントロールする手段として、気功やヨガなどがあり、気功やヨガにより身体の活性化および患部の治療が行われているが。気のエネルギーにより治療を行うには、気功師やヨガの達人に出会わなければならならず。誰もが容易に気のエネルギーによる治療を受けることは出来ない。
【０００７】
そこで、誰もが何時でも何所でも容易に気のエネルギーによる治療を受けることが出来るようにする為に、携帯用の気のエネルギーを発生させる器具が考え出されて既に出願されているが、これまでの気のエネルギー発生装置では、気のエネルギーが弱く十分な効果がある気のエネルギーを発生させることが出来ない問題点があった。
【特許文献１】特開２００１−０７０４５８号公報
【特許文献２】特開２００４−０５７４２９号公報
【非特許文献１】特になし
【発明の開示】
【発明が解決しようとする課題】
【０００８】
本発明は上記問題点を解消するために、人間の身体は特定周波数の波動に共鳴することが脳波測定器、超音波血流測定器、脳内血流測定器などにより測定され発見されたことから、この特定周波数の波動を発生させる装置を提供して、この特定周波数の波動に手から出る気のエネルギーを乗せることによって、気のエネルギーを強くして身体に照射し、身体の患部を治療することを目的としたものである。
【課題を解決するための手段】
【０００９】
上記目的を達成する為に、本発明は絶縁体７を挟んで金４、プラチナ５、銀６の薄板を重ねた板体に振動モーター８を取付けて発振子１とし、発振子１に発振器２から特定周波数の低周波電圧を掛けて、該発振子１で身体が共鳴する波動を発生させ放射する波動発生器３であって、波動発生器３から波動を放射させて身体に照射することで、健康状態を保持、調整させたり、患部の治療をするようにしたものである。
【００１０】
また、波動発生器３を手に取り付け、波動発生器３から発生する波動が手の気のエネルギーを拾うことで手から出る気のエネルギーを強くして放射するようにした。
そして、掌に金属、布、水等の物体を置くと、波動発生器３から発生し放射する波動は手から放射する気のエネルギーを拾って物体に照射して物体に転写することができる。気のエネルギーを含む波動を転写された物体から気のエネルギーを身体に取り入れることで、健康状態を保持、調整したり、患部の治療をするようにしたものである。
【発明の効果】
【００１１】
本発明の波動発生器は精神の安定や患部の治療に効果的である気のエネルギーを容易に取り入れることができる。そして、波動発生器から発生した波動が身体の気のエネルギーに働きかけて強めることで、気力や活力を高め、精神の安定を図り、自律神経に働きかけて患部の血流を良くし、細胞の活性化によって身体の機能を高め人間の持つ本来の機能に活発に働き掛けて、不快感の除去や患部の治療および改善が行われる。
【発明を実施するための最良の形態】
【００１２】
本発明の実施の形態を例に上げて説明する。
【実施例１】
【００１３】
図１に示す様に、金の薄板４とプラチナの薄板５と銀の薄板６とをセラミック絶縁体７を挟んで重ね合わせて板体とする。金の薄板４とプラチナの薄板５とにそれぞれプラスの電極と銀の薄板６にマイナスの電極とを繋げて複合コンデンサーとした。そして、重ね合わせた複合コンデンサーの板体に偏心錘付の振動モーター８を取り付けた構成からなる発振子１である。
【００１４】
この構成から、金の薄板４とプラチナの薄板５に４キロヘルツ、８キロヘルツ、１６キロヘルツなどの低周波のプラスの電圧を掛けると発振子１の金の薄板４、プラチナの薄板５、銀の薄板６間で波動が発生する。この波動は振動モーター８の回転による振動と複合して強力化されて、発振子１からの身体に共鳴する波動が放射される。
【００１５】
図２に示すのは、発振器２と発振子１との結線図であって、直流電流３〜１８ボルトがオンーオフスイッチを通して、ＩＣチップからなる発振回路に流れるようになっている発振器２が発振子１の金の薄板４とプラチナの薄板５に結線している。
発振器２に直流電流を加えると発振回路で特定周波数の低周波電圧を発生して、この低周波電圧を発振子１の金の薄板４とプラチナの薄板５に掛けると、発振子１から身体に共鳴する特定周波の波動が放射される。
【００１６】
図３に示すように、波動発生器３に装着具であるゴムバンド９を設けて、波動発生器３を手の甲に取り付け、掌を身体の患部にあてると、波動発生器３から放射する波動が手から発生する波動を拾って放射することから、患部をより強力に治療することができる。
【００１７】
図４に示すように、波動発生器３を手の甲に取り付け、掌に水を入れたコップを置くと波動発生器３から発生する波動が手から発生する気のエネルギーを拾って放射されることから、コップの水に気のエネルギーが蓄積される。コップの水には自分の身体の気のエネルギーが含まれていることから、水を呑むことによって、身体内の気のエネルギーが増強されて健康や精神安定を維持することができる。
【産業上の利用可能性】
【００１８】
本発明の波動発生器は携帯できるので、精神の不安定やストレス、患部の痛みの解消、気力の増進などを望む時に身近で容易に活用できることから医療器具として有用である。又、本波動には殺菌性等が立証されており、食物の包装紙、ミネラル水等に転写して腐敗防止などに活用されることから食品加工において有用である。
【図面の簡単な説明】
【００１９】
【図１】波動発生器の発振子の概略説明図である。
【図２】特定周波数を発振する発振器と発振子の結線図である。
【図３】波動発生器を手に取付けて患部の治療をする手段を示した概略説明図である。
【図４】波動および手の気のエネルギーを水に転写する手段を示した概略説明図である。
【符号の説明】
【００２０】
１    発振子
２    発振器
３    波動発生器
４    金の薄板
５    プラチナの薄板
６    銀の薄板
７    セラミック絶縁体
８    振動モーター
９    ゴムバンド
【図１】
2006000528.tif 000003
【図２】
2006000528.tif 000004
【図３】
2006000528.tif 000005
【図４】
2006000528.tif 000006